(57)【要約】  【課題】ネットワークに通信障害が発生した場合でも最低限の災害情報をユーザーに提供することのできる情報提供システムを提供する。  【解決手段】マイクロフォン３４を有するユーザー端末３と、情報提供サーバー２と、を備える情報提供システム１は、情報提供サーバー２が生成した、基本情報に関する基本情報識別子と、詳細情報に関する詳細情報識別子とを含む符号化情報を音響通信によりユーザー端末３に配信し、ユーザー端末３は、基本情報については、基本情報変換テーブルを参照して基本情報識別子に基づいて単独で復号し、詳細情報については、ネットワーク４を介して情報提供サーバー２にアクセスして、詳細情報識別子に基づいて復号する。【選択図】図８
2017063330.tif 000002
【特許請求の範囲】
【請求項１】
ネットワークを介して相互に接続された、マイクロフォンを有するユーザー端末と、情報提供サーバーと、を備え、前記マイクロフォンを介して音響通信により前記ユーザー端末に情報を提供する情報提供システムにおいて、
前記情報提供サーバーは、
音響信号に変換されて音響通信により前記ユーザー端末に伝送される符号化情報を生成する符号化情報生成部であって、前記符号化情報は、基本情報と詳細情報とから構成される情報を符号化したものであって、前記基本情報に関する基本情報識別子と、前記詳細情報に関する詳細情報識別子と、を含む符号化情報生成部と、
前記基本情報を符号化するための基本情報変換テーブルと、前記詳細情報識別子に関連付けられた前記詳細情報と、を格納する記憶装置と、を備え、
前記ユーザー端末は、
前記基本情報変換テーブルを格納する記憶装置と、
前記ネットワークを介して通信するための通信装置と、
前記マイクロフォンが収音した音響信号を復調して前記符号化情報を取り出す復調部と、
前記符号化情報を復号して前記符号化情報を取り出す復号部であって、前記基本情報変換テーブルを参照して前記基本情報識別子に基づいて前記基本情報を復号する基本情報復号部と、前記ネットワークを介して前記情報提供サーバーにアクセスして前記詳細情報識別子に基づいて前記詳細情報を復号する詳細情報復号部と、を備える復号部と、を備える、
ことを特徴とする情報提供システム。
【請求項２】
前記ユーザー端末は、
前記通信装置による前記ネットワークを介した通信が可能かどうかを監視する回線監視部をさらに備え、
前記詳細情報復号部は、前記ネットワークの通信障害により前記情報提供サーバーにアクセスできない場合には、前記回線監視部により定期的に前記ネットワークを介した通信が可能かどうかを確認し、前記ネットワークを介した通信が復旧したときに、前記詳細情報を復号する、
ことを特徴とする請求項１記載の情報提供システム。
【請求項３】
ネットワークを介して情報提供サーバーに接続された、マイクロフォンを有するコンピューターに、前記情報提供サーバーが生成して音響通信により配信される、基本情報に関する基本情報識別子と詳細情報に関する詳細情報識別子とから構成された符号化情報を復調・復号させて、前記基本情報及び前記詳細情報を復元させる情報復元プログラムにおいて、
前記符号化情報の音響信号を復調して前記符号化情報を取り出す復調ステップと、
復調された前記基本情報識別子を復号して前記コンピューター単独で前記基本情報を復元する基本情報復元ステップと、
前記ネットワークを介して前記詳細情報識別子に関連付けて前記詳細情報が格納されている前記情報提供サーバーにアクセスし、復調された前記詳細情報に基づいて前記詳細情報を復号する詳細情報復号ステップと、
を前記コンピューターに実行させることを特徴とする情報復元プログラム。
【請求項４】
前記詳細情報復号ステップは、前記ネットワークの通信障害により前記情報提供サーバーにアクセスできない場合には、定期的に前記ネットワークを介した通信が可能かどうかを監視し、前記ネットワークを介した通信が復旧したときに、前記詳細情報を復号することを特徴とする請求項３記載の情報復元プログラム。
【請求項５】
マイクロフォンを有するユーザー端末にネットワークを介して接続されたコンピューターに、音響信号に変換されて前記ユーザー端末に配信される基本情報識別子と詳細情報識別子とから構成される符号化情報を生成させる符号化情報生成プログラムにおいて、
基本情報変換テーブルを参照しながら基本情報を符号化して前記基本情報識別子を生成する基本情報符号化ステップと、
詳細情報を符号化して詳細情報識別子を生成すると共に、生成した詳細情報識別子と前記詳細情報とを関連付けて前記コンピューターの記録装置に記録する詳細情報符号化ステップと、
を前記コンピューターに実行させることを特徴とする符号化情報生成プログラム。
【発明の詳細な説明】
【技術分野】
【０００１】
本発明は、音波による音響通信により各種情報をユーザーに提供する情報提供システムに関する。
【背景技術】
【０００２】
音波による音響通信により情報を提供する情報提供システムが従来から提供されており、例えば、下記特許文献１，２に開示されている。音響通信は音を媒体とした通信方式であるため、テレビやラジオのコンテンツに音声信号を重畳させて情報を伝送すれば、広い範囲に亘って情報を提供することができる。
【０００３】
しかしながら、一般に音響通信の通信速度は電波による無線通信、ＬＡＮケーブルや光ケーブル等の有線通信よりも遅く、提供できる情報量は限定的である。ここで、特許文献２には、音響通信を介して情報の識別子である音響ＩＤのみを伝送し、情報のコンテンツは音響ＩＤに基づいてインターネットを介して伝送することによって、低速の音響通信を補う技術が開示されている。
【先行技術文献】
【特許文献】
【０００４】
【特許文献１】特開２０１４−１３５５７９号公報
【特許文献２】特開２０１３−１８３３２７号公報
【発明の概要】
【発明が解決しようとする課題】
【０００５】
しかし、移動体通信網やインターネット通信網では、サーバーダウン等の障害によって回線が不通になるケースが多く、音響通信に加えて他の高速通信回線を利用する特許文献２に記載のシステムでは、通信回線が不通になってしまった場合に、情報の提供が全く行われなくなってしまう。例えば、災害情報を配信するサービスにおいては、移動体通信網等に障害が発生した場合でも、最低限の災害情報がユーザーに配信されることが望ましい。
【０００６】
本発明は、このような課題に鑑みてなされたものであり、ネットワークに通信障害が発生した場合でも最低限の災害情報をユーザーに提供することのできる情報提供システムを提供することを目的とする。
【課題を解決するための手段】
【０００７】
上記課題を解決するために、本発明に係る情報提供システムは、ネットワークを介して相互に接続された、マイクロフォンを有するユーザー端末と、情報提供サーバーと、を備え、前記マイクロフォンを介して音響通信により前記ユーザー端末に情報を提供する情報提供システムにおいて、前記情報提供サーバーは、音響信号に変換されて音響通信により前記ユーザー端末に伝送される符号化情報を生成する符号化情報生成部であって、前記符号化情報は、基本情報と詳細情報とから構成される情報を符号化したものであって、前記基本情報に関する基本情報識別子と、前記詳細情報に関する詳細情報識別子と、を含む符号化情報生成部と、前記基本情報を符号化するための基本情報変換テーブルと、前記詳細情報識別子に関連付けられた前記詳細情報と、を格納する記憶装置と、を備え、前記ユーザー端末は、前記基本情報変換テーブルを格納する記憶装置と、前記ネットワークを介して通信するための通信装置と、前記マイクロフォンが収音した音響信号を復調して前記符号化情報を取り出す復調部と、前記符号化情報を復号して前記符号化情報を取り出す復号部であって、前記基本情報変換テーブルを参照して前記基本情報識別子に基づいて前記基本情報を復号する基本情報復号部と、前記ネットワークを介して前記情報提供サーバーにアクセスして前記詳細情報識別子に基づいて前記詳細情報を復号する詳細情報復号部と、を備える復号部と、を備える、ことを特徴とする。
【０００８】
また、本発明に係る情報復元プログラムは、ネットワークを介して情報提供サーバーに接続された、マイクロフォンを有するコンピューターに、前記情報提供サーバーが生成して音響通信により配信される、基本情報に関する基本情報識別子と詳細情報に関する詳細情報識別子とから構成された符号化情報を復調・復号させて、前記基本情報及び前記詳細情報を復元させる情報復元プログラムにおいて、前記符号化情報の音響信号を復調して前記符号化情報を取り出す復調ステップと、復調された前記基本情報識別子を復号して前記コンピューター単独で前記基本情報を復元する基本情報復元ステップと、前記ネットワークを介して前記詳細情報識別子に関連付けて前記詳細情報が格納されている前記情報提供サーバーにアクセスし、復調された前記詳細情報に基づいて前記詳細情報を復号する詳細情報復号ステップと、を前記コンピューターに実行させることを特徴とする。
【０００９】
また、本発明に係る符号化情報生成プログラムは、マイクロフォンを有するユーザー端末にネットワークを介して接続されたコンピューターに、音響信号に変換されて前記ユーザー端末に配信される基本情報識別子と詳細情報識別子とから構成される符号化情報を生成させる符号化情報生成プログラムにおいて、基本情報変換テーブルを参照しながら基本情報を符号化して前記基本情報識別子を生成する基本情報符号化ステップと、
詳細情報を符号化して詳細情報識別子を生成すると共に、生成した詳細情報識別子と前記詳細情報とを関連付けて前記コンピューターの記録装置に記録する詳細情報符号化ステップと、を前記コンピューターに実行させることを特徴とする。
【発明の効果】
【００１０】
本発明に係る情報提供システムによれば、音響通信により必要最低限の情報を提供しながら、他のネットワークを介して詳細な情報を提供することができる。
【図面の簡単な説明】
【００１１】
【図１】図１は、本発明の実施形態に係る情報提供システムの構成を概略的に示す模式図である。
【図２】図２は、本発明の実施形態に係る情報提供サーバーの構成を概略的に示す模式図である。
【図３】図３は、本発明の実施形態に係る情報提供サーバーが有する機能を概略的に示すブロック図である。
【図４】図４は、本発明の実施形態に係るサウンドコードのデータ構造を示す図である。
【図５】図５は、本発明の実施形態に係る基本情報変換テーブルを示す表である。
【図６】図６は、本発明の実施形態に係る詳細情報格納部に格納されたデータの構造を示す表である。
【図７】図７は、本発明の実施形態に係るユーザー端末の構成を概略的に示す模式図である。
【図８】図８は、本発明の実施形態に係るユーザー端末が有する機能を概略的に示すブロック図である。
【図９】図９は、本発明の実施形態に係る情報提供システムの全体的な処理の流れを示すフローチャートである。
【図１０】図１０は、本発明の実施形態に係る情報提供システムの全体的な処理の流れを示すフローチャートである。
【図１１】図１１は、本発明の実施形態に係るユーザー端末の表示画面の例を示す図である。
【発明を実施するための形態】
【００１２】
以下、図面を参照しながら本発明の実施形態に係る情報提供システムについて説明する。本実施形態においては、地震等の災害時に、ユーザーが所持するユーザー端末に対して、災害情報を提供する場合を例に挙げて説明する。図１は、本実施形態に係る情報提供システムの構成を概略的に示す模式図である。図２は、本実施形態に係る情報提供サーバーの構成を概略的に示す模式図である。図３は、本実施形態に係る情報提供サーバーが有する機能を概略的に示すブロック図である。
【００１３】
図４は、本実施形態に係るサウンドコードのデータ構造を示す図である。図５は、本実施形態に係る基本情報変換テーブルを示す表である。図６は、本実施形態に係る詳細情報格納部に格納されたデータの構造を示す表である。図７は、本実施形態に係るユーザー端末の構成を概略的に示す模式図である。
【００１４】
図８は、本実施形態に係るユーザー端末が有する機能を概略的に示すブロック図である。図９及び図１０は、本実施形態に係る情報提供システムの全体的な処理の流れを示すフローチャートである。図１１は、本実施形態に係るユーザー端末の表示画面の例を示す図である。
【００１５】
情報提供システム１は、災害情報を提供する情報提供サーバー２と、災害情報の提供を受けるユーザーが所持するスマートフォン等の携帯端末（コンピューター）であるユーザー端末３と、テレビやラジオ等の音声を含む映像コンテンツや音声コンテンツを放送する放送局６と、放送局６からテレビやラジオ等のコンテンツを受信して再生する受信機７とを備える。
【００１６】
情報提供サーバー２と、ユーザー端末３と、放送局６とは電気通信回線４等のネットワークによって接続されており、相互にネットワークを介して通信が可能である。なお、ユーザー端末３は携帯電話網を介して電気通信回線４に接続されている。また、災害情報を受信する際、ユーザー端末３は、受信機７のスピーカー７１から再生される音声が届く範囲に位置している。
【００１７】
情報提供システム１において配信される災害情報は、優先度の高い必要最低限の内容に絞られた基本情報と、基本情報を補足する詳細な詳細情報とから構成される。災害情報を配信するために、受信機７から音響通信によりユーザー端末３に伝送される符号化情報であるサウンドコードは、情報提供サーバー２で生成される。サウンドコード（符号化情報）には、基本情報に関する識別子であるＩＤ１と、詳細情報に関する識別子であるＩＤ２とが含まれている。
【００１８】
情報提供サーバー２で生成されたサウンドコードは、音声信号に変換されたうえで、放送局６から放送される映像コンテンツや音声コンテンツの音声に重畳されて放送される。サウンドコードが重畳された放送波を受信した受信機７は、重畳されたサウンドコードを音波としてスピーカー７１から再生する。ユーザー端末３は、このサウンドコードの音声信号を収音して復調・復号し、基本情報及び詳細情報からなる災害情報を取得する。
【００１９】
このとき、ユーザー端末３は、サウンドコードから、単独で基本情報を復号できるが、詳細情報については、ＩＤ２に基づいて、電気通信回線４等のネットワークを介して情報提供サーバー２から取得する必要がある。
【００２０】
このように、基本情報は音響通信のみでユーザー端末３に提供し、詳細情報は、音響通信に加えて電気通信回線４等のネットワークを介してユーザー端末３に提供する、すなわち、必要最低限の情報を音響通信で提供しながら、他のネットワークを介して情報量の大きな詳細情報を提供することで、低速な音響通信に容量面の負荷をかけることなく、災害によってネットワークに障害が発生した場合であっても、災害情報の提供が完全に停止することなく、音響通信により、必要最低限の災害情報をユーザーに提供することができる。
【００２１】
情報提供サーバー２は、各種演算を行うＣＰＵ等の演算装置２１と、外部ネットワークとの通信を行うネットワークコントローラー等の通信装置２２と、各種情報を記憶しておくハードディスクドライブや、演算処理のワークエリアとして機能するメモリ等からなる記憶装置２３とを備える（図２参照）。
【００２２】
記憶装置２３は、情報提供サーバー２において後述する所定の処理を実行する各種プログラムを記録しておくプログラム格納部２３１と、基本情報の符号化や復号に用いる基本情報変換テーブルを格納する基本情報変換テーブル格納部２３２と、詳細情報を詳細情報識別子（ＩＤ２）に関連付けて格納する詳細情報格納部２３３とを備える。
【００２３】
また、機能に着目すると、情報提供サーバー２は、基本情報を符号化して基本情報の識別子であるＩＤ１を生成するＩＤ１生成部２４１と、詳細情報の識別子であるＩＤ２を生成するＩＤ２生成部２４２と、ＩＤ１とＩＤ２とに基づいて受信機７からユーザー端末３へと音響信号として伝送される符号化情報であるサウンドコードを生成するサウンドコード生成部２４３と、サウンドコードを音声信号に変換する音声信号変換部２４４とを備える（図３参照）。これら各部の機能は、演算装置２１がプログラム格納部２３１内の各種プログラムを実行することによって実現する。
【００２４】
ここで、音響信号としてユーザー端末３へと配信される符号化情報であるサウンドコードの構成について、図４を参照しながら説明する。サウンドコードは、先頭から順に配置された、フレームの先頭を示すプリアンブルと、基本情報識別子であるＩＤ１と、詳細情報識別子であるＩＤ２と、誤り検出訂正符号であるCRC/FEC（CRC又はFEC）とから構成されている。ＩＤ１及びＩＤ２がペイロードである。
【００２５】
各構成要素のデータ長は、プリアンブルが24bit、ＩＤ１が9bit、ＩＤ２が7bit、CRC/FECが32bitである。本実施形態では、災害情報を構成する基本情報及び詳細情報を基本情報識別子及び詳細情報識別子に変換して符号化情報としているため、サウンドコード全体のデータ長（72bit）を極めて小さくできる。もちろん、各構成要素のデータ長は適宜変更可能である。
【００２６】
必要最低限の災害情報である基本情報と、詳細な災害情報である詳細情報は、情報提供サーバー２に接続された入力用の端末を用いて、オペレーターが手動で入力する情報である。基本情報は、予め設定された項目値から構成される定型情報であり、詳細情報は、非定型のテキストの情報である。
【００２７】
オペレーターは、電気通信回線４等を介して外部の災害情報の提供サーバーにアクセスし、入手した災害情報に基づいて、基本情報及び詳細情報を作成する。もちろん、基本情報及び詳細情報は、入手した災害情報に基づいて、情報提供サーバー２が自動的に作成するようにしても良い。
【００２８】
ＩＤ１生成部２４１は、基本情報変換テーブル格納部２３２に記録されている基本情報変換テーブルに基づいて、オペレーターによって入力された基本情報をＩＤ１に変換する。本実施形態では、基本情報は、「災害分類」、「災害規模」、「災害エリア」の3つの項目から構成されており、各項目には、複数の項目値が予め設定されている。基本情報の項目値は、具体的には、基本情報変換テーブルに設定されている（図５参照）。
【００２９】
本実施形態では、基本情報の項目「災害分類」には、地震、津波、噴火、雪崩、竜巻、避難、警報解除の項目値が設定され、各項目値には、それぞれ3bitのＩＤが関連付けられている。
【００３０】
同様に、基本情報の項目「災害規模」には、震度７、震度６強、震度６弱、震度５強、震度５弱、震度４、震度３の項目値が設定され、基本情報の災害エリアには、北海道、東北、関東、中部、近畿、中国、四国、九州の項目値が設定されている。なお、ここでは、「災害分類」が地震である場合について説明したが、「災害規模」の項目値は、「災害分類」の項目値毎に、それぞれ所定の項目値が設定されている。
【００３１】
例えば、オペレーターによって、「災害分類」が地震、「災害規模」が震度５弱、「災害エリア」が近畿である基本情報が入力されると、ＩＤ１生成部２４１は、各項目をそれぞれ「000」、「100」、「100」と符号化し、ＩＤ１「000100100」を生成する。
【００３２】
ＩＤ２生成部２４２は、オペレーターによって詳細情報が入力されると、この詳細情報を特定するための識別子としてＩＤ２を生成し、この詳細情報と生成したＩＤ２とを関連付けて詳細情報格納部２３３に記録する（図６参照）。なお、詳細情報識別子として、ＩＤ１とＩＤ２を組み合わせて用いるようにしても良く、このようにすることで、ＩＤ２のデータ容量を小さくすることができる。
【００３３】
また、情報提供サーバー２は、外部から電気通信回線４を介して、所定のＩＤ２と共に詳細情報の送信要求を受けたときには、詳細情報格納部２３３を参照して、受信したＩＤ２に関連付けられた詳細情報を送信要求元へと返信する機能を有する。
【００３４】
サウンドコード生成部２４３は、ＩＤ１生成部２４１が生成したＩＤ１と、ＩＤ２生成部２４２が生成したＩＤ２とに基づいて、上述した符号化情報であるサウンドコードを生成する。
【００３５】
音声信号変換部２４４は、サウンドコード生成部２４３が生成したサウンドコードを音声信号に変換する。このサウンドコードの音声信号は、可聴音帯域の搬送波をベースバンド信号であるサウンドコードによって変調した変調波である。例えば、サウンドコードの音声信号は、waveファイル等の音声データのファイルとして生成される。
【００３６】
ユーザー端末３は、スマートフォン等の携帯端末であり、各種演算を行うＣＰＵ等の演算装置３１と、外部ネットワークとの通信を行う通信装置３２と、各種情報を記憶しておくフラッシュメモリや、演算処理のワークエリアとして機能するメモリ等からなる記憶装置３３と、マイクロフォン３４と、液晶ディスプレイ等の表示部３５とを備える（図７参照）。
【００３７】
記憶装置３３は、ユーザー端末３において後述する所定の処理を実行する各種プログラムを格納しておくプログラム格納部３３１と、基本情報の復号に用いる、上記情報提供サーバー２の基本情報変換テーブル格納部２３２に保存されている基本情報変換テーブルと同一の基本情報変換テーブルを格納する基本情報変換テーブル格納部３３２とを備える。
【００３８】
また、機能に着目すると、ユーザー端末３は、マイクロフォン３４が受信した音響信号を復調してサウンドコードを取り出す復調部３６１と、復調されたサウンドコードを復号して災害情報（基本情報及び詳細情報）を復元する復号部３６２と、通信装置３２が電気通信回線４等の外部ネットワークと通信可能な状態にあるか否かを監視する回線監視部３６５とを備える。これら各部の機能は、演算装置３１がプログラム格納部３３１内の各種プログラムを実行することによって実現する。
【００３９】
復調部３６１は、マイクロフォン３４が収音したサウンドコードが重畳されたコンテンツの音声信号を復調して、ベースバンド信号であるサウンドコードを取り出す。復号部３６２は、サウンドコードに含まれるＩＤ１から基本情報を復号する基本情報復号部３６３と、サウンドコードに含まれるＩＤ２から詳細情報を復号する詳細情報復号部３６４とを備える。
【００４０】
基本情報復号部３６３は、復調されたサウンドコードのＩＤ１に基づいて基本情報変換テーブルを参照し、基本情報を復号する。詳細情報復号部３６４は、復調されたサウンドコードのＩＤ２に基づいて情報提供サーバー２にアクセスし、詳細情報を取得して復号する。但し、詳細情報復号部３６４による復号は、回線監視部３６５による監視の結果、通信装置３２が外部ネットワーク（電気通信回線４等）と通信可能な場合にのみ行われる。
【００４１】
詳細情報復号部３６４は、通信装置３２による通信が不能であり詳細情報の復号ができなかった場合には、回線監視部３６５により定期的に通信装置３２の監視を行い、通信装置３２による外部との通信が可能になったときに、情報提供サーバー２にアクセスして詳細情報の復号を行う。
【００４２】
復号された基本情報及び詳細情報は、表示部３５に表示される。詳細情報が取得されていない場合は、基本情報のみが表示部３５に表示され、詳細情報が取得されると、基本情報に加えて詳細情報が追加で表示される。
【００４３】
以上、情報提供システム１の構成について説明したが、続いて、図９及び図１０を参照しながら、本システムにおける災害情報提供処理の流れについて説明する。災害が発生し、情報提供システム１において、ユーザーに災害情報を配信する際、まず、ステップ０１（Ｓ０１）において、情報提供サーバー２に対して、ユーザーに配信される災害情報である基本情報及び詳細情報が入力される。
【００４４】
具体的には、上述したように、情報提供サーバー２に接続された端末から、オペレーターが手動で基本情報及び詳細情報を入力する。基本情報の入力にあたっては、オペレーターが、外部から取得した災害についての情報を見ながら、プルダウンメニューにより所望の項目値を選択して入力するように構成すれば良い。
【００４５】
次に、基本情報及び詳細情報が入力されると、ＩＤ１生成部２４１がＩＤ１を生成し、ＩＤ２生成部２４２がＩＤ２を生成する（Ｓ０２）。このとき、ＩＤ２生成部２４２は、入力された詳細情報と生成したＩＤ２とを関連付けて、詳細情報格納部２３３に記録する（Ｓ０３）。
【００４６】
サウンドコード生成部２４３は、生成されたＩＤ１及びＩＤ２に基づいてサウンドコードを生成する（Ｓ０４）。音声信号変換部２４４は、生成されたサウンドコードを音声信号に変換する（Ｓ０５）。音声信号変換部２４４が生成したサウンドコードの音声データ（waveファイル等）は、テレビやラジオ等のコンテンツに重畳して放送するために、通信装置２２、電気通信回線４を介して、放送局６に送信される（Ｓ０６）。
【００４７】
＜放送局＞
放送局６において、サウンドコードの音声信号が放送されるコンテンツの音声に重畳され（Ｓ１０）、サウンドコードの音声信号は、テレビやラジオ等のコンテンツと共に放送局の電波に乗せられて放送される（Ｓ１１）。
【００４８】
サウンドコードを含むコンテンツを受信した受信機７は、コンテンツを再生し、コンテンツの音声が受信機７のスピーカー７１から流される。コンテンツにはサウンドコードの音声信号が重畳されており、このとき、サウンドコードの音声信号が受信機７のスピーカー７１から再生される（Ｓ１４）。スピーカー７１から流されたサウンドコードの音声信号は、音波（音響信号）として空気中を伝搬し、ユーザー端末３に到達する（Ｓ１５）。
【００４９】
ユーザー端末３に到達したサウンドコードの音声信号は、放送コンテンツと一緒にマイクロフォン３４によって収音される。復調部３６１は、マイクロフォン３４に入力された音声信号を復調し、ベースバンド信号であるサウンドコードを取り出す（Ｓ２１）。
【００５０】
復号部３６２は、復調されたサウンドコードに基づいて、基本情報及び詳細情報の復元を行う。まず、基本情報復号部３６２は、復調されたサウンドコードのＩＤ１に基づいて、基本情報の復号を行う（Ｓ２２）。
【００５１】
続いて、詳細情報を復号するために、Ｓ２３において、回線監視部３６５が外部ネットワークとの通信状態を確認する。通信障害が発生しておらず、外部ネットワークが利用可能である場合は、Ｓ３１に進み、詳細情報復号部３６４が詳細情報の取得（復号）処理を行う（Ｓ３１）。
【００５２】
詳細情報の取得処理では、Ｓ３２において、詳細情報復号部３６４が電気通信回線４を介して情報提供サーバー２へとアクセスし、復調されたサウンドコード内のＩＤ２を情報提供サーバー２に送信して詳細情報の問合わせを行う。
【００５３】
問合わせを受けた情報提供サーバー２は、受信したＩＤ２に基づいて詳細情報格納部２３３を検索し、このＩＤ２に関連付けられた詳細情報を抽出する（Ｓ３３）。抽出された詳細情報は、Ｓ３４において、問合わせ元のユーザー端末３へ送信される。
【００５４】
詳細情報を受信したユーザー端末３は、Ｓ２２で復号した基本情報と受信した詳細情報とを表示部３５に表示する（Ｓ３５）。一方、Ｓ２３おいて、外部ネットワークが利用不能である場合は、詳細情報を取得するために情報提供サーバー２にアクセスすることができないため、ユーザー端末３は、Ｓ２２で復号した基本情報のみを単独で表示部３５に表示する（Ｓ４１）。
【００５５】
復号部３６２は、Ｓ４１に進んで基本情報のみを単独表示した際には、Ｓ２３へと戻って、定期的に外部ネットワークの通信状態の確認を行い、外部ネットワークが復旧して通信が可能になると、Ｓ３１〜Ｓ３５へと進んで、詳細情報の取得・表示を行う。
【００５６】
ここで、ユーザー端末３の表示部３５への基本情報及び詳細情報の表示例を図１１に示す。基本情報と詳細情報は上下に並べられて表示される。詳細情報が取得できていない場合は、基本情報のみが表示される。
【００５７】
以上、本発明の実施形態について説明したが、本実施形態によれば、災害情報を基本情報と詳細情報とから構成し、基本情報識別子及び詳細情報識別子を音響通信でユーザー端末３へと配信しているので、音響通信における通信量を最低限に抑えることができ、音響通信における通信エラーの発生を防ぐことができる。
【００５８】
また、本実施形態では、ユーザーに提供される災害情報を、ユーザー端末３単独で基本情報識別子から復号可能な必要最低限の基本情報と、ユーザー端末３がネットワークを介して外部にアクセスして復号する詳細な詳細情報とから構成しているため、災害時に通信障害が発生してインターネット等の外部ネットワークにアクセスできない場合であっても、音響通信のみで必要最低限の災害情報をユーザー端末３に配信することができる。
【００５９】
また、このように、外部ネットワークを介して詳細情報を取得・復号するため、本実施形態によれば、低速な音響通信に容量的に負荷をかけることなく、情報量の大きな災害情報を配信することが可能である。
【００６０】
また、通信障害により詳細情報を取得できない場合であっても、ユーザー端末３において、定期的に回線監視部３６５が通信状態を監視することで、外部ネットワークとの通信が可能になると、詳細な災害情報を追加で取得することができる。
【００６１】
以上、本発明に係る実施形態について説明したが、本発明は上述した実施形態に限定されるものではなく、本発明の主旨を逸脱しない範囲内で種々の変形が可能である。例えば、上述した情報提供サーバーの機能は、単一のサーバーに限らず、複数のサーバーで分散して行わせるようにしても良い。
【００６２】
また、上記実施形態では、音響通信で伝送される音声信号をテレビやラジオ等のコンテンツに重畳させて放送するようにしたが、サウンドコードの音声信号を流す媒体はこれらに限られるものではなく、防災放送や町内放送等で流すようにしても良い。
【符号の説明】
【００６３】
１      情報提供システム
２      情報提供サーバー
２１    演算装置
２２    通信装置
２３    記憶装置
２３１  プログラム格納部
２３２  基本情報変換テーブル格納部
２３３  詳細情報格納部
２４１  ＩＤ１生成部
２４２  ＩＤ２生成部
２４３  サウンドコード生成部
２４４  音声信号変換部
２５    基本情報変換テーブル
３      ユーザー端末
３１    演算装置
３２    通信装置
３３    記憶装置
３３１  プログラム格納部
３３２  基本情報変換テーブル格納部
３４    マイクロフォン
３５    表示部
３６１  復調部
３６２  復号部
３６３  基本情報復号部
３６４  詳細情報復号部
３６５  回線監視部
４      電気通信回線
６      放送局
７      受信機
７１    スピーカー
【図１】
2017063330.tif 000003
【図２】
2017063330.tif 000004
【図３】
2017063330.tif 000005
【図４】
2017063330.tif 000006
【図５】
2017063330.tif 000007
【図６】
2017063330.tif 000008
【図７】
2017063330.tif 000009
【図８】
2017063330.tif 000010
【図９】
2017063330.tif 000011
【図１０】
2017063330.tif 000012
【図１１】
2017063330.tif 000013